【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
光電変換素子を用いて撮影を行う撮影装置であって、
前記撮影を可能とするための第１の動作を行った後に、該第１の動作前の状態に戻る第２の動作を行う動作機構を駆動するアクチュエータの制御を行う制御手段を有し、
前記制御手段は、前記光電変換素子の電荷蓄積中に、前記動作機構に前記第２の動作を行わせるための前記アクチュエータの駆動を開始することを特徴とする撮影装置。
【請求項２】
光電変換素子を用いて撮影を行う撮影装置であって、
前記撮影を可能とするための第１の動作を行った後に、該第１の動作前の状態に戻る第２の動作を行う動作機構を駆動するアクチュエータの制御を行う制御手段を有し、
前記制御手段は、前記光電変換素子からの電荷の読み出し前に、前記動作機構に前記第２の動作を行わせるための前記アクチュエータの駆動を開始することを特徴とする撮影装置。
【請求項３】
先幕および後幕の走行により前記光電変換素子の露光量を制御するシャッタを有しており、
前記制御手段は、前記後幕の走行開始後に前記動作機構に前記第２の動作を行わせるための前記アクチュエータの駆動を開始することを特徴とする請求項１又は２に記載の撮影装置。
【請求項４】
前記動作機構は、前記光電変換素子への光路に対してミラー部材を移動させるミラー駆動機構であり、
前記第１の動作は前記ミラー部材を前記光路外に移動させる動作であり、前記第２の動作は前記ミラー部材を前記光路上に移動させる動作であることを特徴とする請求項１から３のいずれか１つに記載の撮影装置。
【請求項５】
前記動作機構は、前記光電変換素子の露光量を制御するシャッタ部材を駆動するシャッタ駆動機構であり、
前記第１の動作はチャージ状態にある前記シャッタ部材との係合を解除する動作であり、前記第２の動作は前記シャッタ部材をチャージして該シャッタ部材に係合する動作であることを特徴とする請求項１又は２に記載の撮影装置。
【請求項６】
前記シャッタ駆動機構は前記シャッタ部材としての先幕および後幕を有し、
前記制御手段は、前記後幕の走行開始から所定時間経過後に、前記シャッタ駆動機構に前記第２の動作を行わせるための前記アクチュエータの駆動を開始することを特徴とする請求項５に記載の撮影装置。
【請求項７】
前記動作機構は、光量を調節する絞り部材を駆動する絞り駆動機構であり、
前記第１の動作は前記絞り部材を絞る動作であり、前記第２の動作は前記絞り部材を開放する動作であることを特徴とする請求項１又は２に記載の撮影装置。
【請求項８】
先幕および後幕の走行により前記光電変換素子の露光量を制御するシャッタを有し、
前記制御手段は、前記後幕の走行開始後に前記絞り駆動機構に前記第２の動作を行わせるための前記アクチュエータの駆動を開始することを特徴とする請求項７に記載の撮影装置。
【請求項９】
前記制御手段は、前記光電変換素子への光路に対して移動するミラー部材および前記光電変換素子の露光量を制御するシャッタ部材を駆動する前記動作機構である第１の機構を駆動する第１のアクチュエータと、光量を調節する絞り部材を駆動する前記動作機構である第２の機構を駆動する第２のアクチュエータの制御を行い、
前記制御手段は、前記第１の機構に前記第２の動作を行わせるための前記第１のアクチュエータの駆動を開始してから所定時間経過後に、前記第２の機構に前記第２の動作を行わせるための前記第２のアクチュエータの駆動を開始することを特徴とする請求項１又は２に記載の撮影装置。
【請求項１０】
前記動作機構と、
前記アクチュエータとを有することを特徴とする請求項１から９のいずれか１つに記載の撮影装置。
【請求項１１】
前記動作機構および前記アクチュエータを有する交換レンズユニットの装着が可能であることを特徴とする請求項１から９のいずれか１つに記載の撮影装置。
【請求項１２】
光電変換素子を有する撮影装置においてコンピュータにより実行される処理プログラムであって、
前記光電変換素子を用いて撮影を行う撮影ステップと、
前記撮影を可能とするための第１の動作を行った後に、該第１の動作前の状態に戻る第２の動作を行う動作機構を駆動するアクチュエータの制御を行う制御ステップとを有し、
前記制御ステップにおいて、前記光電変換素子の電荷蓄積中に、前記動作機構に前記第２の動作を行わせるための前記アクチュエータの駆動を開始することを特徴とする撮影装置の処理プログラム。
【請求項１３】
光電変換素子を有する撮影装置においてコンピュータにより実行される処理プログラムであって、
前記光電変換素子を用いて撮影を行う撮影ステップと、
前記撮影を可能とするための第１の動作を行った後に、該第１の動作前の状態に戻る第２の動作を行う動作機構を駆動するアクチュエータの制御を行う制御ステップとを有し、
前記制御ステップにおいて、前記光電変換素子からの電荷の読み出し前に、前記動作機構に前記第２の動作を行わせるための前記アクチュエータの駆動を開始することを特徴とする撮影装置の処理プログラム。
【手続補正２】
【補正対象書類名】明細書
【補正対象項目名】０００３
【補正方法】変更
【補正の内容】
【０００３】
図５において、デジタルカメラのレリーズスイッチ（ＳＷ１，ＳＷ２）が押されると、シャッタの先幕マグネットおよび後幕マグネットに通電を開始した状態で、シーケンスモータを回転させる。シーケンスモータが回転することによって、クイックリターンミラーは跳ね上げられ、またシャッタの機械的係止が解除される。シャッタの機械的係止が解除されても、シャッタの先幕および後幕は、マグネットによって保持されている。
【手続補正３】
【補正対象書類名】明細書
【補正対象項目名】００１７
【補正方法】変更
【補正の内容】
【００１７】
これらの図において、１００は撮影装置としてのカメラ本体である。３００はカメラ本体１００に取り付け可能な交換レンズユニットである。該交換レンズユニット３００には、レンズ３１０と絞り３２０とが設けられており、これらは図２に示すレンズモータ３４０によって駆動される。
【手続補正４】
【補正対象書類名】明細書
【補正対象項目名】００１８
【補正方法】変更
【補正の内容】
【００１８】
１４は交換レンズユニット３００により形成された被写体像を光電変換し、電荷を蓄積する光電変換素子としての撮像素子であり、具体的にはＣＣＤセンサやＣＭＯＳセンサ等である。１５０は撮像素子１４への露光量を制御するシャッタである。１３０はミラーであり、交換レンズユニット３００からの光束の光路上に配置され、該光束をガイドミラー１３２（図２参照）を介して光学ファインダ１０４に導くダウン位置と、該光路外に退避するアップ位置との間で回動可能である。
【手続補正５】
【補正対象書類名】明細書
【補正対象項目名】００１９
【補正方法】変更
【補正の内容】
【００１９】
レンズ３１０に入射した被写体からの光束は、絞り３２０およびシャッタ１５０を介して撮像素子１４上に結像する。
【手続補正６】
【補正対象書類名】明細書
【補正対象項目名】００２１
【補正方法】変更
【補正の内容】
【００２１】
また、システム制御回路５０は、モータ制御回路１２０を介してシーケンスモータ１２１およびレンズモータ３４０を制御する。シーケンスモータ１２１が回転することにより、ミラー１３０を含むミラー駆動機構１２２およびシャッタ１５０を含むシャッタ駆動機構１２３とが所定の順序で駆動される。また、レンズモータ３４０が回転することにより、絞り３２０およびレンズ３１０を含むレンズ駆動機構（絞り機構）３３０が駆動される。
【手続補正７】
【補正対象書類名】明細書
【補正対象項目名】００２３
【補正方法】変更
【補正の内容】
【００２３】
先幕１５１および後幕１５６に対しては、上記所定位置での機械的係合保持が解除された状態で磁力によりこれらの保持を行うための先幕マグネット１５２および後幕マグネット１５７がそれぞれ設けられている。システム制御回路５０は、先幕駆動回路１５３および後幕駆動回路１５８を介して先幕マグネット１５２および後幕マグネット１５７それぞれへの電流の供給を制御する。先幕１５１および後幕１５６を磁力保持している先幕マグネット１５２および後幕マグネット１５７への通電をカットすることで、先幕１５１および後幕１５６は不図示のバネの付勢力によって走行する（シャッタ駆動機構の第１の動作）。
【手続補正８】
【補正対象書類名】明細書
【補正対象項目名】００２６
【補正方法】変更
【補正の内容】
【００２６】
まず、システム制御回路５０は、レリーズスイッチ１８３の全押し状態（ＳＷ２→ＯＮ）か否かを判定する（Ｓ１０１）。レリーズスイッチ１８３が全押しされると、システム制御回路５０は、先幕マグネット１５２および後幕マグネット１５７に通電を開始し、さらにシーケンスモータ１２１への通電、すなわちシーケンスモータ１２１の駆動を開始する（Ｓ１０２）。
【手続補正９】
【補正対象書類名】明細書
【補正対象項目名】００２７
【補正方法】変更
【補正の内容】
【００２７】
シーケンスモータ１２１が回転することによってミラー駆動機構１２２はミラー１３０をダウン位置からアップ位置へと上昇させる（ミラー駆動機構１２２の第１の動作）。一方、シャッタ駆動機構１２３は、シャッタ１５０の機械的係合保持を解除する（シャッタ駆動機構１２３の第１の動作）。
【手続補正１０】
【補正対象書類名】明細書
【補正対象項目名】００２８
【補正方法】変更
【補正の内容】
【００２８】
システム制御回路５０は、タイマーＥのカウント開始から時間Ｔ３３が経過した後に（Ｓ１０３）、レンズモータ３４０に通電を行う（Ｓ１０４）。時間Ｔ３３は、シーケンスモータ１２１の起動時のラッシュと、レンズモータ３４０の起動時のラッシュが確実に重ならないように予めマージンを見込んで設定された絞り待機時間である。レンズモータ３４０の回転により、レンズ駆動機構３３０は絞り３２０を開放位置から設定された絞り値に応じた絞り位置まで絞り込む（絞り駆動機構の第１の動作）。
【手続補正１１】
【補正対象書類名】明細書
【補正対象項目名】００３３
【補正方法】変更
【補正の内容】
【００３３】
上記のように制御することによって、次の撮影に対する準備駆動（第２の動作）を行うためのシーケンスモータ１２１への通電開始（シーケンスモータ１２１の駆動開始）は、後幕走行開始後における撮像素子１４の電荷蓄積中に行われることとなる。ここで、後幕走行開始後（露光途中）にシーケンスモータ１２１への通電を開始しても、後幕走行よりもミラーダウンの動作が追い越してしまうことのないようにチャージ待機時間Ｔ２２を設けているので、適正な露光が妨げられない。また、シーケンスモータ１２１への通電開始とミラーダウンの開始との間には、機構上のタイムラグがあるために、後幕走行完了を待たずにシーケンスモータ１２１への通電を開始することができる。さらに、上記タイムラグ等のマージンがあれば、後幕走行の開始と同時にミラーダウンのためのシーケンスモータ１２１への通電開始も可能である。
【手続補正１２】
【補正対象書類名】明細書
【補正対象項目名】００３７
【補正方法】変更
【補正の内容】
【００３７】
次に、システム制御回路５０は、タイマーＤのカウント値を監視し（Ｓ１１５）、時間Ｔ５５が経過すると、撮像素子１４に電荷読み出し用の駆動パルスを与え、電荷の読み出しを開始する（Ｓ１１６）。時間Ｔ５５は、シャッタ１５０によって確実に撮像素子１４に到達する光量を制御できるように予めマージンを見込んで設定された時間である。このように、撮像素子１４の電荷蓄積中に、シーケンスモータ１２１およびレンズモータ３４０への通電を開始し、準備駆動を行う。